(57)【要約】【課題】  本発明は、ソフトセクター方式の補助信号がプリフォーマットされた光ディスクの信号トラック上の不連続記録位置にクロック安定化情報を付加的に記録する光ディスク記録方法及びその装置に関する。【解決手段】  光ディスク記録方法及びその装置は、信号トラックを単位ブロックに区分する補助信号が信号トラックとは別途の領域にプリフォーマットされた光ディスクの信号トラックの不連続記録位置に隣接した単位ブロックの一部分にクロック安定化情報を記録する。そして、不連続記録位置に隣接した単位ブロックの残りの部分にはユーザー情報が記録される。  これにより、光ディスクの信号トラックの不連続記録位置に隣接するように記録されたユーザー情報が安定するように再生され、併せて光ディスクの記録容量が大きくなる。【選択図】              図８
2006221801.tif 000002
【特許請求の範囲】
【請求項１】
データを光記録媒体へ記録する記録方法であって、
補助信号がプリフォーマットされている光記録媒体の信号トラックを単位ブロックに区分する補助同期信号を検出するステップを備え、前記補助信号には補助同期信号が含まれており；
前記信号トラックにおける不連続記録位置に隣接している単位ブロックの一部分に、前記補助同期信号を利用して、クロック安定化情報を記録するステップを備え；
前記単位ブロックの残りの部分に、前記補助同期信号を利用して、ユーザー情報を記録するステップを備え；
前記クロック安定化情報が、前記不連続記録位置からずれて記録されている、ことを特徴とする記録方法。
【請求項２】
請求項１記載の記録方法において、前記クロック安定化情報が、前記不連続記録位置との間に空間ができるようにずらされて記録されている、ことを特徴とする記録方法。
【請求項３】
請求項１または２記載の記録方法において、前記クロック安定化情報にはクロック信号が含まれる、ことを特徴とする記録方法。
【請求項４】
請求項１，２または３に記載の記録方法において、前記不連続記録位置と隣接した前記単位ブロックに続けて配列された後続単位ブロックに、ユーザー情報を順次に記録するステップを更に含む、ことを特徴とする記録方法。
【請求項５】
請求項１〜４の何れか１項に記載の記録方法において、単位ブロックに対応する同期信号および識別情報を、前記補助同期信号と前記ユーザ情報との間に、記録するステップをさらに含む、ことを特徴とする記録方法。
【請求項６】
請求項１〜５の何れか１項に記載の記録方法において、前記クロック安定化情報が、前記補助信号に同期させられて記録される、ことを特徴とする記録方法。
【請求項７】
データを光記録媒体へ記録する記録方法であって、
光記録媒体にはその信号トラックを単位ブロックに区分する補助信号が前記信号トラックとは別の領域にプリフォーマットされており、前記信号トラックにおける不連続記録位置に隣接している単位ブロックの一部分に、前記補助信号を利用して、クロック安定化情報を記録するステップを備え；
前記単位ブロックの残りの部分にユーザー情報を記録するステップを備え；
前記補助信号が、前記クロック安定化情報および前記ユーザー情報の記録の際に使用され、前記クロック安定化情報が、前記不連続記録位置からずらされて記録される、ことを特徴とする記録方法。
【請求項８】
請求項７に記載の記録方法において、前記不連続記録位置と隣接した前記単位ブロックに続けて配列された後続単位ブロックに、前記ユーザー情報を順次に記録するステップを更に含む、ことを特徴とする記録方法。
【請求項９】
請求項７または８に記載の記録方法において、単位ブロックに対応する同期信号および識別情報を、前記補助信号と前記ユーザ情報との間に、記録するステップをさらに含む、ことを特徴とする記録方法。
【請求項１０】
請求項７，８または９に記載の記録方法において、前記クロック安定化情報が、前記補助信号に同期させられて記録される、ことを特徴とする記録方法。
【発明の詳細な説明】
【技術分野】
【０００１】
本発明は、信号トラックの物理的位置を指示する補助信号が信号トラックとは異なる領域にプリフォーマットされた光ディスクに情報を記録する技術に関し、特に信号トラック上の不連続記録位置に情報を記録する光ディスク記録方法及び装置に関する。
【背景技術】
【０００２】
通常のコンパクトディスク（以下ＣＤと言う）及びデジタルバーセタイルディスク(Digital  Versatile  Disc,以下“ＤＶＤ”と言う）のような光ディスクには情報が記録される信号トラックが螺旋形又は同心円の形態に形成されている。
又、光ディスクには信号トラックがランダムにアクセスすることができるように補助信号がプリフォーマットされていた。この補助信号は、信号トラックを一定の大きさの単位格納領域に区分し、これらの単位格納領域の物理的位置を指示する。
【０００３】
補助信号は、ハードセクター方式とソフトセクター方式の二つ方式で光ディスクにプリフォーマットされている。前者のハードセクター方式によると、光ディスクの信号トラックの一部領域にエンボスピット(Embossed  Pit）を形成することによって補助信号が光ディスクにプリフォーマットされるようになる。このように、補助信号がプリフォーマットされた光ディスク(10)には、図１に示したように同心円又は螺旋形の信号トラック(12)が一定の長さのセクター(14)に区分される。これらのセクター(14)の各々は、セクター識別信号部(16)とメイン情報信号部(18)で構成される。セクター識別信号部(16)は同期パターン、アドレスマーク、トラック番号及びセクター番号を含み、隣接したセクターとの境界部を指示すると共に、そのセクターの物理的位置を指示する補助信号に使用される。メイン情報信号部(18)にはユーザー情報が記録される。このような、ハードセクター方式の補助信号はユーザー情報が記録される信号トラックの一部区間を占有するので光ディスクの記録容量を少なくさせる。
【０００４】
後者のソフトセクター方式の補助信号は、光ディスクの信号トラックとは他の別の領域、ウォッブル領域に配置することによって光ディスクの記録領域を大きくすることができる。このソフトセクター方式に補助信号がプリフォーマットされた光ディスクには、図２に示すように光ディスクの中心から外周まで螺旋形又は同心円の形態に形成された溝(22)（以下、溝のトラックと言う）が一定サイクルで曲がっており、これらの溝のトラック(22)間には、ランド(20)（以下、山のトラックと言う）が配列されている。補助信号は、溝のトラック(22)両側辺の曲がった部分（以下、“ウォッブル領域”と言う）に補助信号がプリフォーマットされている。
【０００５】
このような、ソフトセクター方式の補助信号がプリフォーマットされた光ディスクの信号トラックに記録されるユーザー情報ブロックは、ユーザーブロック識別部とユーザーブロック情報部で構成される。このユーザーブロック識別部は、ハードセクター方式の補助信号と同じように同期パターン、アドレスマーク、トラック番号及びブロック番号等を含む。このように構成されたユーザーブロック識別部は再生の時、光ディスクの信号トラックの物理的位置を指示するようになる。従って、ソフトセクター方式の補助信号はユーザー情報を光ディスクに記録する場合に主として使用する。
【０００６】
又、補助信号はユーザー情報の伝送速度、即ち記録速度及び再生速度を現すため一定のサイクルのクロック信号に同期された形態で光ディスクにプリフォーマットされる。これを言い替えれば、光ディスクにプリフォーマットされた補助信号には一定のサイクルのクロック信号が含まれている。ユーザーブロック識別部とハードセクター方式のセクター識別信号部に各々含まれたクロック信号は、ユーザー情報のビットと同じサイクルを有する反面、ソフトセクター方式の補助信号に含まれたクロック信号はユーザー情報のビットに比べて比較的大きいサイクルを有する。即ち、ソフトセクター方式の補助信号に含まれた基準クロック信号はユーザー情報のビットに比べて低い周波数を有する。これによって、ソフトセクター方式の補助信号がプリフォーマットされた光ディスクでは信号トラック上に記録されたクロック信号の位相が急激に変化することができる。このようにクロック信号の位相が急激に変化するようになると、光ディスク再生装置ではユーザー情報のビットと異なるサイクルを有するクロック信号が再生されるので信号トラック上に記録されたユーザー情報ブロック等のうち、一部のユーザー情報ブロックが正確に再生されないようになる。このような現象は、ユーザー情報が時間的に不連続に記録された光ディスクの信号トラック上の記録位置（以下、“不連続記録位置”と言う）から発生し、かつ、光ディスクの信号トラック上に記録する情報ファイルの数が増加する程、一層ひっきりなしに発生する。即ち、不連続記録位置は第１情報ファイルが信号トラックのスタート位置から中間の任意の位置にわたって記録された次の任意の時間後に第２情報ファイルが任意の位置から記録される場合と、情報が記録された信号トラックの任意の位置に新しい情報が上書きされる場合に発生する。
【０００７】
図３に示すように、光ディスクの信号トラック(20又は22)の左側から任意の地点（ＤＣＰ）に至る区間（Ｓ１）に第１ユーザー情報が記録され、次の任意の期間が経過後、任意の地点（ＤＣＰ、即ち、不連続記録位置）から右側方向に第２ユーザー情報が記録されたとすれば、信号トラック(20又は22)に記録された記録クロックの位相は図４Ａのように不連続記録位置（ＤＣＰ）で急激に変化するようになる。これは光ディスクの信号トラック(20又は22)に記録された記録クロックがソフトセクター方式の補助信号に含まれた基準クロック信号に基づいて発生されるためである。この記録クロックは光ディスク再生装置により図４Ｂのように不連続記録位置（ＤＣＰ）から一定区間に当たる期間の間、大きいサイクルを有するか又は図４Ｃのように不連続記録位置（ＤＣＰ）から一定区間に当たる期間の間、小さいサイクルを有するように再生される。このように信号トラック(20又は22)上の不連続記録位置（ＤＣＰ）から一定区間に記録された記録クロック信号が大きいか又は小さいサイクルを有するように再生するのでその区間に記録されたユーザー情報が正確に再生されないようになる。
【０００８】
このような、光ディスクの信号トラック上の不連続記録位置でのユーザー情報のエラーを防止するため、不連続記録位置に“可変周波数発振(Variable  Frequency  Oscilating、以下“ＶＦＯ”と言う）信号”と言うクロック安定化情報を付加する方案が提案された。このクロック安定化情報は通常不連続記録位置から一つのセクター区間にわたって記録されるので光ディスクの信号トラックを不要に消耗する。これにより、クロック安定化情報の付加方法は光ディスクの信号トラック上の不連続記録位置の数が増加するにつれて光ディスクの記録容量を著しく少なくさせる短所を有している。
【発明の開示】
【発明が解決しようとする課題】
【０００９】
従って、本発明の目的は、ユーザー情報が安定して再生されるようにすると共に光ディスクの記録容量が大きくなるように光ディスクの信号トラック上の不連続記録位置にユーザー情報を記録することのできる光ディスク記録方法及び装置を提供することにある。
【課題を解決するための手段】
【００１０】
前記目的を達成するために、本発明による光ディスク記録方法は、信号トラックを単位ブロックに区分する補助信号が信号トラックとは別の領域にプリフォーマットされた光ディスクの信号トラックの不連続記録位置と隣接した単位ブロックの一部分にクロック安定化情報を記録する段階と、その単位ブロックの残りの部分にユーザー情報を記録する段階を含む。
【００１１】
本発明による他の光ディスク記録方法は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックとを検出する第１段階と、補助同期信号と補助クロックを利用して信号トラック上の不連続記録位置と隣接した単位ブロックの一部分にクロック安定化情報を記録する第２段階と、補助同期信号と補助クロックを利用して不連続記録位置と隣接した単位ブロックの残りの部分にユーザー情報を記録する第３段階を含む。
【００１２】
本発明によるさらに他の光ディスク記録方法は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する第１段階と、検出された補助クロックに基づいて基準クロックを発生する第２段階と、検出された補助同期信号と基準クロックを利用して信号トラック上の不連続記録位置と隣接した単位ブロックの一部分にクロック安定化情報を記録する第３段階と、クロック安定化情報と基準クロックを利用して不連続記録位置と隣接した単位ブロックの残りの部分にユーザー情報を記録する第４段階を含む。
【００１３】
本発明によるさらに他の光ディスク記録方法は、信号トラックを単位ブロックに区分する補助同期信号と情報の伝送速度を指示する補助クロックを含む補助信号が信号トラックとは異なる別の領域にプリフォーマットされた光ディスクから補助クロックを検出する第１段階と、検出された補助クロックに基づいて基準クロックを発生する第２段階と、信号トラックに記録された同期信号を再生する第３段階と、再生された同期信号と基準クロックを利用して信号トラック上の不連続記録位置と隣接した単位ブロックの一部分にクロック安定化情報を記録する第４段階と、クロック安定化情報と基準クロックを利用して不連続記録位置と隣接した単位ブロックの残りの部分にユーザー情報を記録する第５段階を含む。
【００１４】
本発明によるさらに他の光ディスク記録方法は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する第１段階と、検出された補助クロックに基づいて基準クロックを発生する第２段階と、信号トラックに記録された同期信号を再生する第３段階と、再生された同期信号、補助同期信号及び基準クロックを利用して信号トラック上の不連続記録位置と隣接した単位ブロックの一部分にクロック安定化情報を記録する第４段階と、クロック安定化情報と基準クロックを利用して不連続記録位置と隣接した単位ブロックの残りの部分にユーザー情報を記録する第５段階を含む。
【００１５】
本発明によるさらに他の光ディスク記録方法は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する第１段階と、検出された補助クロックに基づいて基準クロックを発生する第２段階と、信号トラックに記録された同期信号を再生する第３段階と、再生された同期信号、補助同期信号及び基準クロックを利用して信号トラック上の不連続記録位置と隣接した単位ブロックの一部分にクロック安定化情報を記録する第４段階と、クロック安定化情報により擬似同期信号を発生する第５段階と、擬似同期信号と基準クロックを利用して不連続記録位置と隣接した単位ブロックの残りの部分にユーザー情報を記録する第５段階を含む。
【００１６】
本発明によるさらに他の光ディスク記録方法は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する第１段階と、検出された補助クロックに基づいて基準クロックを発生する第２段階と、検出された補助同期信号に基づいて基準同期信号を発生する第３段階と、信号トラックに記録された同期信号を再生する第４段階と、再生された同期信号、補助同期信号及び基準クロックを利用して信号トラック上の不連続記録位置と隣接した単位ブロックの一部分にクロック安定化情報を記録する第５段階と、クロック安定化情報により擬似同期信号を発生する第６段階と、擬似同期信号と基準クロックを利用して不連続記録位置と隣接した単位ブロックの残りの部分にユーザー情報を記録する第７段階と、基準同期信号及び基準クロックを利用して不連続記録位置と隣接した単位ブロックに連結される少なくとも一つの後続単位ブロックにユーザー情報を記録する第８段階を含む。
【００１７】
本発明による光ディスク記録装置は、信号トラックを単位ブロックに区分する補助信号が信号トラックとは別の領域にプリフォーマットされた光ディスクの信号トラック上の不連続記録位置と隣接した単位ブロックの一部分にクロック安定化情報を記録する第１記録手段と、その単位ブロックの残りの部分にユーザー情報を記録する第２記録手段とを備える。
【００１８】
本発明による他の光ディスク記録装置は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックとを検出する補助信号検出手段と、補助信号検出手段からの補助同期信号及び補助クロックを利用して信号トラック上の不連続記録位置と隣接した単位ブロックの一部分にクロック安定化情報を記録する第１記録手段と、補助信号検出手段からの補助同期信号及び補助クロックを利用して不連続記録位置と隣接した単位ブロックの残りの部分にユーザー情報を記録する第２記録手段とを備える。
【００１９】
本発明によるさらに他の光ディスク記録装置は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する補助信号検出手段と、補助信号検出手段からの補助クロックに基づいて基準クロックを発生する基準クロック発生手段と、補助信号検出手段からの補助同期信号と基準クロック発生手段からの基準クロックとを利用して信号トラック上の不連続記録位置と隣接した単位ブロックの一部分にクロック安定化情報を記録する第１記録手段と、第１記録手段からのクロック安定化情報と基準クロック発生手段からの基準クロックを利用して不連続記録位置と隣接した単位ブロックの残りの部分にユーザー情報を記録する第２記録手段を備える。
【００２０】
本発明によるさらに他の光ディスク記録装置は、信号トラックを単位ブロックに区分する補助同期信号と情報の伝送速度を指示する補助クロックとを含む補助信号が信号トラックとは異なる別の領域にプリフォーマットされた光ディスクから補助クロックを検出する補助信号検出手段と、補助信号検出手段からの補助クロックに基づいて基準クロックを発生する基準クロック発生手段と、信号トラックに記録された同期信号を再生する再生手段と、再生手段からの再生された同期信号と基準クロック発生手段からの基準クロックを利用して信号トラック上の不連続記録位置と隣接した単位ブロックの一部分にクロック安定化情報を記録する第１記録手段と、第１記録手段からのクロック安定化情報と基準クロック発生手段からの基準クロックを利用して不連続記録位置と隣接した単位ブロックの残りの部分にユーザー情報を記録する第２記録手段を備える。
【００２１】
本発明によるさらに他の光ディスク記録装置は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する補助信号検出手段と、補助信号検出手段からの補助クロックに基づいて基準クロックを発生する基準クロック発生手段と、信号トラックに記録された同期信号を再生する再生手段と、再生手段からの再生された同期信号、補助信号検出手段からの補助信号及び基準クロック発生手段からの基準クロックを利用して信号トラック上の不連続記録位置と隣接した単位ブロックの一部分にクロック安定化情報を記録する第１記録手段と、第１記録手段からのクロック安定化情報と基準クロック発生手段からの基準クロックを利用して不連続記録位置と隣接した単位ブロックの残りの部分にユーザー情報を記録する第２記録手段を備える。
【００２２】
本発明によるさらに他の光ディスク記録装置は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する補助信号検出手段と、補助信号検出手段からの補助クロックに基づいて基準クロックを発生する基準クロック発生手段と、信号トラックに記録された同期信号を再生する再生手段と、補助信号検出手段からの補助同期信号、再生手段からの再生された同期信号及び基準クロック発生手段からの基準クロックを利用して信号トラック上の不連続記録位置と隣接した単位ブロックの一部分にクロック安定化情報を記録する第１記録手段と、第１記録手段からのクロック安定化情報により擬似同期信号を発生する擬似同期発生手段と、擬似同期発生手段からの擬似同期信号と基準クロック発生手段からの基準クロックを利用して不連続記録位置と隣接した単位ブロックの残りの部分にユーザー情報を記録する第２記録手段を備える。
【００２３】
本発明による光ディスク記録装置は、信号トラックを単位ブロックに区分する補助同期信号と情報の伝送速度を指示する補助クロックとを含む補助信号が信号トラックとは異なる別の領域にプリフォーマットされた光ディスクから補助同期信号と補助クロックを検出する補助信号検出手段と、補助信号検出手段からの前記補助クロックに基づいて基準クロックを発生する基準クロック発生手段と、補助信号検出手段からの補助クロックに基づいて基準同期信号を発生する基準同期発生手段と、信号トラックに記録された同期信号を再生する再生手段と、補助信号検出手段からの補助同期信号、再生手段からの再生された同期信号及び基準クロック発生手段からの基準クロックを利用して信号トラック上の不連続記録位置と隣接した単位ブロックの一部分にクロック安定化情報を記録する第１記録手段と、第１記録手段からのクロック安定化情報により擬似同期信号を発生する擬似同期発生手段と、擬似同期発生手段からの擬似同期信号と基準クロック発生手段からの基準クロックを利用して不連続記録位置と隣接した単位ブロックの残りの部分にユーザー情報を記録する第２記録手段と、基準同期発生手段からの基準同期信号及び基準クロック発生手段からの基準クロックを利用して不連続記録位置と隣接した単位ブロックに連結される少なくとも一つの後続単位ブロックにユーザー情報を記録する第３記録手段を備える。
【００２４】
[作用]
前記の構成により、本発明では信号トラックとは異なる別の領域に補助信号がプリフォーマットされた光ディスクの信号トラック上の不連続記録位置と隣接したブロック区間にクロック安定化情報がユーザー情報と共に記録される。これにより、信号トラック上の不連続記録位置と隣接したブロック区間に記録されたユーザー情報は安定して再生されることは勿論、光ディスクの記録容量が大きくなる。そして、本発明では再生同期信号と補助信号に含まれた補助同期信号との位相の先後関係により光ディスクの信号トラック上の不連続記録位置とクロック安定化情報の間に余白区間は選択的に生成されるようにする。この結果、クロック安定化情報は再生同期信号に同期されるように不連続記録位置と隣接したブロック区間に記録するようになる。又、本発明は基準クロックが補助信号に含まれた補助クロックに同期された場合にのみ光ディスクに情報を記録することにより光ディスクの記録容量が一定して維持するようにすると共にエラーの発生を最小化する。
【発明を実施するための最良の形態】
【００２５】
以下、本発明の望ましい実施形態を添付した図５〜図１７を参照して詳細に説明する。
図５は、本発明の実施形態による光ディスク記録装置を図示する。図５において、光ディスク記録装置は光ディスク(24)を回転させるスピンドルモーター(26)と、光ピックアップ(28)に接続されたサーボ部(30)と、スピンドルモーター(26)に接続されたモーター駆動部(32)を備ていえる。光ピックアップ(28)は、図２に示したような光ディスク(24)の溝のトラック(22)に一つのメイン光ビーム（ＭＢ）と二つの補助光ビーム（ＳＢ１、ＳＢ２）を照射してメイン光ビーム（ＭＢ）で情報を記録し、補助光ビーム（ＳＢ１、ＳＢ２）でプリフォーマットされた補助信号を読み取る。光ピックアップ(28)は、レーザーダイオード（ＬＤ）及び光検出器（ＰＤ）の間に位置してレーザー光ビームを分割するビームスプリッター（ＢＳ）と、光ディスク(24)及びビームスプリッター（ＢＳ）の間に設置された対物レンズ（ＯＬ）を備える。対物レンズ（ＯＬ）はビームスプリッター（ＢＳ）から光ディスク(24)の方に進むレーザー光ビームを集光する。ビームスプリッター（ＢＳ）はレーザーダイオード（ＬＤ）からのレーザー光ビームが対物レンズ（ＯＬ）を経由して光ディスク(24)の表面に照射されるようにすると共に、光ディスク(24)により反射された反射光ビームがセンサーレンズ（ＳＬ）を経由して光検出器（ＰＤ）の方に進むようにする。センサーレンズ（ＳＬ）はビームスプリッター（ＢＳ）から光検出器（ＰＤ）の方に進むる光ビームを集束して非点数差法により焦点を調節する。レーザーダイオード（ＬＤ）で発生した光ビームは回折格子（ＧＴ）により三つの光ビーム（ＭＢ，ＳＢ１、ＳＢ２）で分離される。そして、回折格子（ＧＴ）により分離された光ビーム（ＭＢ，ＳＢ１、ＳＢ２）はビームスプリッター（ＢＳ）を経由し、対物レンズ（ＯＬ）で図２で示すように光ディスク(24)の溝のトラック(22)の上に集光される。光ディスク(24)の溝のトラック(22)により反射される光ビーム（ＭＢ，ＳＢ１、ＳＢ２）は対物レンズ（ＯＬ）及びビームスプリッター（ＢＳ）を経由してセンサーレンズ（ＳＬ）によって光検出器（ＰＤ）の表面に集光する。光検出器（ＰＤ）は補助光ビーム（ＳＢ１、ＳＢ２）を電気的信号に変換する。サーボ部(30)は光検出器（ＰＤ）からの電気的信号により光ピックアップ(28)内のアクチュエータ（ＡＣＴ）を駆動してフォーカシングサーボ、トラッキングサーボ等を行う。一方、モーター駆動部(32)はサーボ部(30)からの信号によりスピンドルモーター(26)の回転速度を調節する。
【００２６】
光ディスク記録装置は、さらに光ピックアップ(28)の光検出器（ＰＤ）に直列接続した搬送波信号検出器(34)と補助信号デコーダ(36)を備える。搬送波信号検出器(34)は光検出器（ＰＤ）からの電気的信号から搬送波信号（Ｐｃ）を検出して、補助信号デコーダ(36)は搬送波信号（Ｐｃ）から補助アドレス（ＰＡｄｄ）及び補助クロック（ＰＣＬＫ）と図６に示したような補助同期信号（ＰＹｒｅ）をデコードする。この補助同期信号（ＰＹｒｅ）は光ディスク(24)の信号トラック(20又は22)を一定の大きさの単位ブロックに区分し、補助アドレス（ＰＡｄｄ）は単位ブロックの各々の物理的位置を指示する。又、本発明の実施形態による光ディスク記録装置は、補助信号デコーダ(36)から補助同期信号（ＰＹｒｅ）を入力する基準同期信号発生器(38)と、基準クロック発生器(40)から安定化情報制御信号（ＣＶＦＯ）を入力する擬似同期信号発生器(42)と、基準クロック発生器(40)から基準クロック（ＳＣＬＫ）を利用してＶＦＯ信号を発生するＶＦＯ信号発生器(44)を備える。基準同期信号発生器(38)は補助同期信号（ＰＹｒｅ）に位相同期された基準同期信号（ＳＹｒｅ）を発生する。基準クロック発生器(40)は補助信号デコーダ(36)からの補助クロック（ＰＣＬＫ）に位相及び周波数が同期された図６に示したような基準クロック（ＳＣＬＫ）を発生する。この基準クロック（ＳＣＬＫ）の周波数は記録開始から、一定期間の間、補助クロック（ＰＣＬＫ）のＮ倍から補助クロックのＭ倍へ高くなる。この一定期間が経過した後、基準クロック（ＳＣＬＫ）の周波数は再び補助クロック（ＰＣＬＫ）のＭ倍から補助クロック（ＰＣＬＫ）のＮ倍へ低くなるようになる。これを詳細に説明すると、基準クロック（ＳＣＬＫ）は不連続記録位置（ＤＣＰ）からＶＦＯ信号の記録が完了される光ディスク(24)の信号トラック（20又は22）上の位置に至る区間に該当する期間の間に補助クロック（ＰＣＬＫ）のＭ倍から補助クロック（ＰＣＬＫ）のＮ倍まで変化する周波数を持つようになる。このＶＦＯ信号が記録された後に基準クロック（ＳＣＬＫ）はＶＦＯ信号が記録された区間の終了位置から不連続記録位置（ＤＣＰ）と隣接した単位ブロックの終了地点に至る区間に該当する期間又は一定の数の単位ブロックに該当する期間の間に補助クロック（ＰＣＬＫ）のＭ倍からＮ倍まで漸進的に低くなる周波数を持つようになる。そして基準クロック発生器(40)は制御部(50)からの図６に示したような記録スタート信号（ＷＲｓｔａ）と補助信号デコーダ(36)からの補助同期信号（ＰＹｒｅ）を利用して安定化情報制御信号（ＣＶＦＯ）を発生する。この安定化情報制御信号（ＣＶＦＯ）は、光ディスク(24)の信号トラック(20又は22)に記録されたクロック信号の位相が急激に変化する光ディスク(24)の信号トラック(20又は22)上の不連続記録位置（ＤＣＰ）にＶＦＯ信号を挿入できるようにする。又、安定化情報制御信号（ＣＶＦＯ）はＶＦＯ信号が不連続記録位置（ＤＣＰ）と隣接した単位ブロックの一部の区間に記録されるように図６に示すように光ディスク(24)の信号トラック(20又は22)上の単位ブロックに比べてかなり短い幅のパルスを持つ。又、基準クロック発生器(40)は基準クロック（ＳＣＬＫ）が補助クロック（ＰＣＬＫ）に比べて一定の範囲の倍数、即ちＮ倍からＭ倍に至る範囲の周波数を持つ場合に特定論理（例えば、ハイ論理）を有するロッキング信号（ＬＫ）を発生することができる。擬似同期信号発生器(42)は、安定化情報制御信号（ＣＶＦＯ）の終了時点（例えば、下降エッジ）から一定の期間の間、特定論理（例えば、ハイ論理）を維持する擬似同期信号（ＰＳｒｅ）を発生する。この擬似同期信号（ＰＳｒｅ）は基準同期信号に比べて幅が狭い特定論理のパルスを持つ。このために擬似同期信号発生器(42)は単安定マルチバイブレータを具備することができる。
【００２７】
さらに、光ディスク記録装置は、ユーザー情報を入力する記録情報処理部(46)を有し、かつＶＦＯ信号発生器(44)からのＶＦＯ信号と記録情報処理部(46)からの記録信号とを選択的に光制御器(48)に供給する制御用スイッチ（ＳＷ１）を備える。記録情報処理部(46)はユーザー情報を一定の大きさで分割してユーザーブロック情報を生成すると共に、このユーザーブロック情報の先頭に補助信号デコーダ(36)からの補助アドレス（ＰＡｄｄ）と擬似同期信号発生器(42)からの擬似同期信号（ＰＳｒｅ）又は基準同期信号発生器(38)からの基準同期信号（ＳＹｒｅ）を追加してユーザー情報ブロックを形成させる。又、記録情報処理部(46)はユーザー情報を記録信号として基準クロック発生器(40)からの基準クロック（ＳＣＬＫ）に合わせて制御用スイッチ（ＳＷ１）に供給する。擬似同期信号（ＰＳｒｅ）が含まれたユーザー情報ブロックは補助クロック（ＰＣＬＫ）のＭ倍の周波数を持つ基準クロック（ＳＣＬＫ）により伝送されることによりＶＦＯ信号と共に光ディスク(24)の信号トラック(20又は22)上の一つの単位ブロックに記録される。即ち、擬似同期信号（ＰＳｒｅ）が含まれたユーザー情報ブロックは、時間的に圧縮されることにより基準同期信号（ＳＹｒｅ）が含まれたユーザー情報ブロックより短いサイクルを持つようになる。制御用スイッチ（ＳＷ１）は基準クロック発生器(40)からの安定化情報制御信号（ＣＶＦＯ）の論理状態によりＶＦＯ信号と記録信号を選択的に光制御器(48)の方に伝送する。これを詳細に説明すると、制御用スイッチ（ＳＷ１）は、安定化情報制御信号（ＣＶＦＯ）が特定論理（即ち、ハイ論理）を維持する場合には、ＶＦＯ信号発生器(44)からのＶＦＯ信号を光制御器(48)に供給する。これに対して、安定化情報制御信号（ＣＶＦＯ）が基底論理（例えば、ロー論理）を維持する場合には記録情報処理部(46)からの記録信号を光制御器(48)の方に伝送する。光制御器(48)は制御用スイッチ（ＳＷ１）の出力信号の論理値によりレーザーダイオード（ＬＤ）を断続してユーザー情報ブロックが光ディスク(24)の信号トラック、即ち山のトラック(20)又は溝のトラック(22)に記録されるようにする。この時、信号トラック(20又は22)の不連続記録位置（ＤＣＰ）と隣接した単位ブロック、即ち記録開始の時、ユーザー情報の最前部分が記録される信号トラック(20又は22)上の任意の単位ブロックには図６でのようにクロック安定化情報であるＶＦＯ信号を始めとして擬似同期信号（ＰＳｒｅ）ブロック識別コードとユーザーブロック情報が順次に記録される。反面に不連続記録位置（ＤＣＰ）と離れたブロック区間、各々には基準同期信号（ＳＹｒｅ）ブロック識別コード及びユーザーブロック情報が記録される。
【００２８】
終わりに、制御部(50)はサーボ部(30)とモーター駆動部(32)の動作の如何を制御すると共に、光制御器(48)の動作モードを制御する。又、制御部(50)は記録開始の時に特定論理（例えば、ハイ論理）のパルスを持つ記録開始信号（ＷＲｓｔａ）を発生する。この記録開始信号（ＷＲｓｔａ）は基準クロック発生器(40)に供給されて光ディスク(24)上の信号トラック(20又は22)上の記録不連続地点から一定の区間にクロック安定化情報であるＶＦＯ信号が記録され得るようにする。
又、制御部(50)は基準クロック発生器(40)からロッキング信号（ＬＫ）を入力できる。このロッキング信号（ＬＫ）の論理状態により制御部(50)は光制御器(48)の記録動作を選択的にイネーブルさせる。制御部(50)はロッキング信号（ＬＫ）が特定論理（例えば、ハイ論理）を維持する場合にだけ光制御器(48)が記録動作を実行するようにして光ディスク(24)の記録密度が一定して維持されるようにすると共にエラーの発生を防止する。
【００２９】
図７は図５に示した基準クロック発生器(40)を詳細に示すブロックである。図７において、基準クロック発生器(40)は電圧制御発振器(52)からの基準クロック（ＳＣＬＫ）を第１ＡＮＤゲート(62)を経由して入力する分周器(54)と、この分周器(54)の出力信号を入力する位相比較器(56)と周波数比較器(58)を備える。第１ＡＮＤゲート(62)は安定化情報制御信号（ＣＶＦＯ）により電圧制御発振器(52)から分周器(54)に供給される基準クロック（ＳＣＬＫ）を切り換える。第１ＡＮＤゲート(62)は安定化情報制御信号（ＣＶＦＯ）がハイ論理を維持する場合に電圧制御発振器(52)からの基準クロック（ＳＣＬＫ）が分周器(54)に供給されないようにする。即ち、第１ＡＮＤゲート(62)はロー論理のロー信号を分周器(54)に供給する。これにより、分周器(54)でもロー論理又はハイ論理の論理信号が発生する。この時、位相比較器(56)は、図５に示された補助信号デコーダ(36)からの補助クロック（ＰＣＬＫ）と分周器(54)からの論理信号を位相比較するので急激に増加する電圧信号を持つ位相エラー信号を積分器(60)に供給する。分周器(54)からの論理信号と補助クロック（ＰＣＬＫ）を周波数比較する周波数比較器(58)も急激に増加する電圧信号を持つ周波数エラー信号を積分器(60)に供給する。
積分器(60)は位相比較器(56)からの位相エラー信号と周波数比較器(58)からの周波数エラー信号を各々積分して、これら信号に含まれた高周波成分の雑音信号を除去する。積分器(60)からの積分された位相エラー信号及び周波数エラー信号により電圧制御発振器(52)は基準クロック（ＳＣＬＫ）の周波数を補助クロック（ＰＣＬＫ）のＮ倍から補助クロック（ＰＣＬＫ）のＭ倍まで急激に高める。この結果、基準クロック（ＳＣＬＫ）の周波数はクロック安定化情報制御信号（ＣＶＦＯ）の上昇エッジで補助クロック（ＰＣＬＫ）のＮ倍からＭ倍に急激に高まった後、クロック安定化情報制御信号（ＣＶＦＯ）の下降エッジ指示まで補助クロック（ＰＣＬＫ）のＭ倍を維持するようになる。反面に安定化情報制御信号（ＣＶＦＯ）がロー論理を維持する場合、第１ＡＮＤゲート(62)は電圧制御発振器(52)からの基準クロック（ＳＣＬＫ）が分周器(54)に供給されるようにする。この場合、分周器(54)は第１ＡＮＤゲート(62)からの基準クロック（ＳＣＬＫ）をＮ分周する。この時、位相比較器(56)は補助クロック（ＰＣＬＫ）と分周器(54)からの分周されたクロック信号との位相差により漸進的に減少される電圧信号を持つ位相エラー信号を発生する。同じように、周波数比較器(58)も分周器(54)からのクロック信号と補助クロック（ＰＣＬＫ）との周波数の差異により電圧が漸進的に減少する周波数エラー信号を発生する。すると、積分器(60)を経由して位相エラー信号と周波数エラー信号を入力する電圧制御発振器(52)は基準クロック（ＳＣＬＫ）の周波数を補助クロック（ＰＣＬＫ）のＭ倍から補助クロック（ＰＣＬＫ）のＮ倍まで漸進的に低くするようになる。これにより、基準クロック（ＳＣＬＫ）の周波数はクロック安定化情報制御信号（ＣＶＦＯ）の下降エッジから一定の期間の間（例えば、クロック安定化情報（ＣＶＦＯ）が記録された信号トラック(20、22)上の区間の終了位置からそのクロック安定化情報が記録された単位ブロックの終了位置までの区間に当たる期間）に補助クロック（ＰＣＬＫ）のＭ倍からＮ倍まで漸進的に低くなる。併せて、この基準クロック（ＳＣＬＫ）は図５に示したＶＦＯ信号発生器(44)及び記録情報処理部(46)に供給される。又、分周された基準クロック信号が補助クロック（ＰＣＬＫ）に比べて一定の範囲の周波数の差異を有する場合、即ち、基準クロック（ＳＣＬＫ）が補助クロック（ＰＣＬＫ）よりＮ倍ないしＭ倍の周波数を有する場合に、周波数比較器(58)は特定論理（例えば、ハイ論理）を有するロッキング信号（ＬＫ）を発生する。このロッキング信号（ＬＫ）は図５に示した制御部(50)に供給される。
【００３０】
そして、基準クロック発生器(40)は、図５に示した制御部(50)から記録スタート信号（ＷＲｓｔａ）を入力する第１ラッチ(64)と、図５に示した補助信号デコーダ(36)から補助同期信号（ＰＹｒｅ）を入力するＮＡＮＤゲート(66)を更に備える。第１ラッチ(64)は自身のセット端子（Ｓ）に特定論理（即ち、ハイ論理）の記録スタート信号（ＷＲｓｔａ）が入力される場合に自身の出力端子（Ｑ）にハイ論理の出力信号を発生する。ＮＡＮＤゲート(66)は第１ラッチ(64)の出力信号と補助同期信号（ＰＹｒｅ）をＮＡＮＤ演算し、その結果により第２ラッチ(68)を選択的にトグルさせる。すなわち、ＮＡＮＤゲート(66)は第１ラッチ(64)の出力信号と補助同期信号（ＰＹｒｅ）が共にハイ論理を維持する場合にのみロー論理のパルスを発生させる。第２ラッチ(68)はＮＡＮＤゲート(66)からのロー論理のパルスの上昇エッジから自身の出力端子（Ｑ）上の論理信号をロー論理からハイ論理に変化させる。第１及び第２ラッチ(64,68)は自身のリセット端子（Ｒ）で印加する基底論理（即ち、ロー論理）の安定化情報制御信号（ＣＶＦＯ）により初期化される。
【００３１】
又、基準クロック発生器(40)は電圧制御発振器(52)からの基準クロック（ＳＣＬＫ）を入力する第２ＡＮＤゲート(70)と、第２ラッチ(68)の出力信号を入力するカウンター(72)と、このカウンター(72)からキャリ信号を入力するインバーター(74)を備える。第２ＡＮＤゲート(70)は安定化情報制御信号（ＣＶＦＯ）が特定論理（即ち、ハイ論理）を維持する間にだけ電圧制御発振器(52)からの基準クロック（ＳＣＬＫ）をカウンター(72)のクロック端子（ＣＬＫ）の方に伝送する。カウンター(72)は第２ラッチ(68)から自身のリセット端子（Ｒ）の方にハイ論理の論理信号が印加する間に第２ＡＮＤゲート(70)から供給する基準クロック（ＳＣＬＫ）により加算カウントする。そして、カウンター(72)はカウント値が“Ｋ”に到達するときに、ハイ論理のキャリ信号を発生する。又、カウンター(72)はキャリ信号を発生した後、第２ラッチ(68)から自身のリセット端子（Ｒ）の方に供給するロー論理の論理信号によりカウント動作を中止するようになる。インバーター(74)はカウンター(72)からのキャリ信号を反転し、その反転されたキャリ信号を安定化情報制御信号（ＣＶＦＯ）として第１及び第２ＡＮＤゲート(62,70)、第１及び第２ラッチ(64,68)、図５に示した制御用スイッチ（ＳＷ１）及び擬似同期信号発生器(42)に供給する。結果的に、第２ラッチ(68)、第２ＡＮＤゲート(70)、カウンター(72)及びインバーター(74)は記録開始の時、一番目の補助同期信号（ＰＹｒｅ）の下降エッジから一定の幅のハイ論理パルスを有する安定化情報制御信号（ＣＶＦＯ）を発生する単安定パルス発生器の機能を行う。
【００３２】
図８は、本発明の他の実施形態による光ディスク記録装置のブロックを図示する。図８に示した他の実施形態による光ディスク記録装置は図５に示した光ディスク記録装置に比べて制御用スイッチ（ＳＷ１）と光制御器(48)の間に接続された第２制御用スイッチ（ＳＷ２）を更に備える。併せて、他の実施形態による光ディスク記録装置は図５に示した基準クロック発生器(40)の代わりに適応型基準クロック発生器(76)を備える。
【００３３】
この適応型基準クロック発生器(76)は図５に示した基準クロック発生器(40)と同じく図９に示したような基準クロック（ＳＣＫＬ）を発生し、その基準クロック（ＳＣＫＬ）を記録情報処理部(46)及びＶＦＯ信号発生器(44)に供給する。そして、適応型基準クロック発生器(76)図９でのように記録スタート信号（ＷＲｓｔａ）は発生した後、一番目の補助同期信号（ＰＹｒｅ）の下降エッジから順次に配列される余白制御信号（Ｃｓｐｃ）と安定化情報制御信号（ＣＶＦＯ）を発生する。この余白制御信号（Ｃｓｐｃ）により第２制御用スイッチ（ＳＷ２）は記録情報処理部(46)を光制御器(48)に選択的に連結させることによって光ディスク(24)の信号トラック(20又は22)に情報が記録されない余白区間か生成されるようにする。この余白区間は、光ディスク(24)の信号トラック(20又は22)上の不連続記録位置（ＤＣＰ）とクロック安定化情報区間の間に位置する。即ち、光ディスク(24)の信号トラック(20又は22)上の不連続記録位置（ＤＣＰ）と隣接したブロック区間には図９でのように余白区間（ＳＰＣ）、ＶＦＯ信号（ＶＦＯ）、擬似同期信号（ＰＳｒｅ）、ブロック識別信号及びユーザーブロック情報が記録される。
【００３４】
又、本発明の他の実施形態による光ディスク記録装置は、光ピックアップ(28)内の光検出器（ＰＤ）の出力信号を再生して再生同期信号（ＲＹｒｅ）を適応型基準クロック発生器(76)に供給する再生信号処理部(51)を更に備えることができる。この場合、適応型基準クロック発生器(76)は再生同期信号（ＲＹｒｅ）と補助同期信号（ＰＹｒｅ）の位相の先後関係により余白制御信号（Ｃｓｐｃ）の論理状態を変化させる。適応型基準クロック発生器(76)は、図１０及び図１１のように再生同期信号（ＳＹｒｅ）の位相が補助同期信号（ＰＹｒｅ）よりはやい場合には余白制御信号（Ｃｓｐｃ）が基底論理（即ち、ロー論理）を維持するようにして光ディスク(24)の信号トラック(20又は22)上に余白区間が現れないようにする。即ち、光ディスク(24)の信号トラック(20又は22)上の不連続記録位置（ＤＣＰ）と隣接した単位ブロックにはＶＦＯ信号（ＶＦＯ）、擬似同期信号（ＰＳｒｅ）、ブロック識別信号及びユーザーブロック情報が記録される。一方、図１２のように、再生同期信号（ＲＹｒｅ）の位相が補助同期信号（ＰＹｒｅ）より遅い場合、適応型基準クロック発生器(76)は余白制御信号（Ｃｓｐｃ）が補助同期信号（ＰＹｒｅ）の下降エッジから再生同期信号（ＲＹｒｅ）の上昇エッジまでハイ論理とし、光ディスク(24)の信号トラック(20又は22)上に余白区間を生成させる。即ち、光ディスク(24)の信号トラック(20又は22)上の不連続記録位置（ＤＣＰ）と隣接した単位ブロックには図９のように余白区間（ＳＰＣ）、ＶＦＯ信号（ＶＦＯ）、擬似同期信号（ＰＳｒｅ）、ブロック識別信号及びユーザーブロック情報が記録される。
【００３５】
図１３は図８に示した適応型基準クロック発生器(76)の第１実施形態を詳細に示す回路図である。図１３において、適応型基準クロック発生器(76)は図７に示した基準クロック発生器(40)と比較するとき、ＮＡＮＡＤゲート(66)と第２ラッチ(68)の間に直列接続した第３ラッチ(78)、第２カウンター(84)及び第２インバーター(86)と、電圧制御発振器(52)と第２カウンター(84)のクロック端子（ＣＬＫ）間に直列接続した第２分周器(80)及び第３ＡＮＤゲート(82)を更に備える。
また、適応型基準クロック発生器(76)は図７に示した第１ＡＮＤゲート(62)の代わりに電圧制御発振器(52)からの基準クロック（ＳＣＬＫ）、第１インバーター(74)からの安定化情報制御信号（ＣＶＦＯ）及び第２インバーター(86)からの余白制御信号（Ｃｓｐｃ）を入力する第４ＡＮＤゲート(88)を備える。
【００３６】
第３ラッチ(78)はＮＡＮＤゲート(66)の出力信号の上昇エッジで自身の出力端子（Ｑ）上の論理信号をロー論理からハイ論理に変化させる。即ち、第３ラッチ(78)は図９のように記録開始信号（ＷＲｓｔａ）が発生した後、一番目に入力する補助同期信号（ＰＹｒｅ）の下降エッジ指示にハイ論理の出力信号を発生するようになる。第２分周器(80)は電圧制御発振器(52)からの基準クロック（ＳＣＬＫ）をＮ分周し、その分周された基準クロックを第３ＡＮＤゲート(82)に供給する。第３ＡＮＤゲート(82)は図９に示したような余白制御信号（Ｃｓｐｃ）が特定論理（即ち、ハイ論理）を維持する間にのみ第２分周器(80)からの分周された基準クロックを第２カウンター(84)のクロック端子（ＣＬＫ）の方に伝送する。
第２カウンター(84)は第３ラッチ(78)から自身のリセット端子（Ｒ）の方にハイ論理の論理信号が印加する間に第３ＡＮＤゲート(82)からの分周された基準クロックにより加算カウントする。又、第２カウンター(84)はカウント値が“Ｌ”に到達するときにハイ論理のキャリ信号を発生する。又、第２カウンター(84)はキャリ信号を発生した後、第３ラッチ(78)から自身のリセット端子（Ｒ）の方に供給されるロー論理の論理信号によりカウント動作を中止するようになる。第２インバーター(86)は第２カウンター(84)からのキャリ信号を反転し、その反転させたキャリ信号を余白制御信号（Ｃｓｐｃ）として第３及び第４ＡＮＤゲート(82,88)、第３ラッチ(78)と図７に示したように第２制御用スイッチ（ＳＷ２）に供給する。結果的に、第３ラッチ(78)、第３ＡＮＤゲート(82)、第２カウンター(84)及び第２インバーター(86)は記録開始の時、一番目の補助同期信号（ＰＹｒｅ）の下降エッジから一定の幅のハイ論理パルスを有する余白制御信号（Ｃｓｐｃ）を発生する単安定パルス発生器の機能を行う。この余白制御信号（Ｃｓｐｃ）により第２ラッチ(68)は安定化情報制御信号（ＣＶＦＯ）の発生時点を決定する。即ち、第２ラッチ(68)は第２インバーター(86)からの余白制御信号（Ｃｓｐｃ）の下降エッジから第１カウンター(72)のカウント動作を開始させた後、第１インバーター(74)からのロー論理の安定化情報制御信号（ＣＶＦＯ）により初期化することにより図９のように安定化情報制御信号（ＣＶＦＯ）が余白制御信号（Ｃｓｐｃ）の下降エッジから一定の幅のハイ論理を有するようにする。
【００３７】
一方、第４ＡＮＤゲート(88)は余白制御信号（Ｃｓｐｃ）及び安定化情報制御信号（ＣＶＦＯ）により電圧制御発振器(52)から第１分周器(54)に供給される基準クロック（ＳＣＬＫ）を切り換える。第４ＡＮＤゲート(88)は余白制御信号（Ｃｓｐｃ）及び安定化情報制御信号（ＣＶＦＯ）のうち、いずれの一つでもハイ論理を維持する場合に電圧制御発振器(52)からの基準クロック（ＳＣＬＫ）が第１分周器(54)に供給されないようにする。即ち、第４ＡＮＤゲート(88)は光ディスク(24)の信号トラック(20又は22)上に余白信号とＶＦＯ信号が記録する期間には、基準クロック（ＳＣＬＫ）が第１分周器(54)に供給されないようにする。これとは異なり、余白制御信号（Ｃｓｐｃ）と安定化情報制御信号（ＣＶＦＯ）がロー論理を維持する場合に、第４ＡＮＤゲート(88)は電圧制御発振器(52)からの基準クロック（ＳＣＬＫ）が第１分周器(54)に供給されるようにする。
【００３８】
前記第２及び第３ラッチ(68,78)、第３及び第４ＡＮＤゲート(82,88)、分周器(80)、第２カウンター(86)及び第２インバーター(86)を以外の適応型基準クロック発生器(76)の残りの構成要素に対する作動説明は図７と同じであるので省略する。
【００３９】
図１４は、図８に示した適応型基準クロック発生器(76)の第２実施形態を詳細に示す回路図である。図１４に示した適応型基準クロック発生器(76)は第４ＡＮＤゲート(88)がクロック調節器(90)で置き換えた以外は、図１３に示した適応型基準クロック発生器(76)と同じ回路構成を持つ。このクロック(90)は余白制御信号（Ｃｓｐｃ）がイネーブルされる時点から一定の期間の間（例えば、不連続記録地点から一つの単位ブロックが終了される地点までの区間に当たる期間の間）基準クロック（ＳＣＬＫ）の周波数が補助クロック（ＰＣＬＫ）のＭ倍を一定して維持するようにする。このためにクロック調節器(90)は第２インバーター(86)からの余白制御信号（Ｃｓｐｃ）がロー論理からハイ論理に変化された後、一つの単位ブロックに当たる期間の間、一定のサイクル毎に電圧制御発振器(52)から第１分周器(54)の方に伝送する基準クロック（ＳＣＬＫ）を一つずつ除去する。
この場合、位相比較器(56)から発生される位相エラー信号と周波数(58)から発生される周波数エラーが一定のサイクル毎に一度ずつ増加してから減少する。すると、位相エラー信号及び周波数エラー信号に応答する電圧制御発振器(52)は基準クロック（ＳＣＬＫ）の位相及び周波数を調節することにより基準クロック（ＳＣＬＫ）の位相が補助クロック（ＰＣＬＫ）の位相と一致するようにすると共に、基準クロック（ＳＣＬＫ）の周波数が補助クロック（ＰＣＬＫ）に比べてＭ倍に一定して維持するようにする。反対に、余白制御信号（Ｃｓｐｃ）及び安定化情報制御信号（ＣＶＦＯ）が基底論理（ロー論理）を維持する場合、クロック調節器(90)は電圧制御発振器(52)からの基準クロック（ＳＣＬＫ）をそのまま第１分周器(54)に伝達することによって基準クロック（ＳＣＬＫ）の周波数を補助クロック（ＰＣＬＫ）のＮ倍に一定に維持する。
【００４０】
図１５は図１４に示したクロック調節器(90)を詳細に図示する回路図である。
図１５において、クロック調節器(90)は図１４に示した第１及び第２インバーター(74、86)からの安定化情報制御信号（ＣＶＦＯ）と余白制御信号（Ｃｓｐｃ）を入力するＯＲゲート(92)と、図１４に示した電圧制御発振器(52)からの基準クロック（ＳＣＬＫ）を共通的に入力する第５ＡＮＤゲート(94)、第３分周器(96)及びエクスクルーシブＯＲ（以下、“ＸＯＲ”と言う）ゲート(98)を備える。ＯＲゲート(92)は安定化情報制御信号（ＣＶＦＯ）と余白制御信号（Ｃｓｐｃ）をＯＲ演算し、この二つ信号のハイ論理期間の間、ハイ論理を維持するパルス信号を発生する。第５ＡＮＤゲート(94)はＯＲゲート(92)の出力信号がハイ論理を維持する期間に基準クロック（ＳＣＬＫ）を第３カウンター(100）のクロック端子（ＣＬＫ）に伝送する。第３カウンター(100）は第５ＡＮＤゲート(94)からの自身のクロック端子（ＣＬＫ）に供給するクロック信号の数をカウントする。一方、第３分周器(96)は基準クロック（ＳＣＬＫ）を一定の分周比（例えば４）で分周し、その分周された基準クロックを第６ＡＮＤゲート(102）を経由して第４カウンター(104)に供給する。第４カウンター(104)は第６ＡＮＤゲート(102）からの分周された基準クロック数をカウントする。第３カウンター(100）のカウント値と第４カウンター(104)のカウント値は比較器(106)により比較される。この比較器(106）は、この二つのカウント値が同じ場合にハイ論理の比較信号を第６ＡＮＤゲート(102）に供給すので、第３分周器(96)から分周された基準クロックが第４カウンター(104）及びＸＯＲゲート(98)に供給されないようにする。即ち、第６ＡＮＤゲート(102)は、記録開始の時から第４カウンター(104)のカウント値が第３カウンター(100）のカウント値と同じくなるときまで、分周された基準クロックをＸＯＲゲート(98)に供給するようになる。ＸＯＲゲート(98)は第６ＡＮＤゲート(102）からの分周された基準クロックがハイ論理を維持するとき毎に基準クロック（ＳＣＬＫ）の位相を１８０°反転させることにより、図１４に示した第１分周器(54)に供給される基準クロック（ＳＣＬＫ）から１サイクルの基準クロックを消滅させる。第３分周器(96)の分周比は余白制御信号（Ｃｓｐｃ）のハイ論理の幅と安定化情報制御信号（ＣＶＦＯ）のハイ論理の幅の合に該当する期間と単位ブロックの期間との比により決定される。
【００４１】
図１６は図８に示した適応型基準クロック発生器(76)の第３実施形態を詳細に示す回路図である。この適応型基準クロック発生器(76)は電圧制御発振器(52)からの基準クロック（ＳＣＬＫ）を第１ＡＮＤゲート(108）を経由して入力する第１分周器(54)と、第１分周器(54)の出力信号を入力する位相比較器(56)と周波数比較器(58)を備える。第１ＡＮＤゲート(108）は切換制御信号により基準クロック（ＳＣＬＫ）を切り換える。この第１ＡＮＤゲート(108）は切換制御信号がハイ論理を維持する場合に、電圧制御発振器(52)からの基準クロック（ＳＣＬＫ）が第１分周器(54)に供給されないようにする。即ち、第１ＡＮＤゲート(108）はロー論理の論理信号を第１分周器(54)に供給する。これにより、第１分周器(54)でもロー論理又はハイ論理の論理信号が発生される。この時、位相比較器(56)は図８に示した補助信号デコーダ(36)からの補助クロック（ＰＣＬＫ）と第１分周器(54)からの論理信号を位相比較するので急激に増加する電圧信号を持つ位相エラー信号を積分器(60)に供給する。第１分周器(54)からの論理信号を補助クロック（ＰＣＬＫ）を周波数比較する周波数比較器(58)も急激に増加する電圧信号を持つ周波数エラー信号を積分器(60)に供給する。積分器(60)は位相比較器(56)からの位相エラー信号と周波数比較器(58)からの周波数エラー信号を各々積分し、これらの信号に含まれた高周波成分の雑音信号を除去する。積分器(60)からの積分された位相エラー信号及び周波数エラー信号により電圧制御発振器(52)は基準クロック（ＳＣＬＫ）の周波数を補助クロック（ＰＣＬＫ）のＮ倍から補助クロック（ＰＣＬＫ）のＭ倍まで急激に高める。この結果、基準クロック（ＳＣＬＫ）の周波数は切換制御信号の上昇エッジで補助クロック（ＰＣＬＫ）のＮ倍からＭ倍に急激に高まった後、切換制御信号の下降エッジまで補助クロック（ＰＣＬＫ）のＭ倍を維持するようになる。切換制御信号がロー論理を維持する場合、第１ＡＮＤゲート(108）は電圧制御発振器(52)からの基準クロック（ＳＣＬＫ）を第１分周器(54)に供給する。この場合、第１分周器(54)は第１ＡＮＤゲート(108）からの基準クロック（ＳＣＬＫ）をＮ分周する。この時、位相比較器(56)は補助クロック（ＰＣＬＫ）と第１分周器(54)からの分周されたクロック信号との位相差により漸進的に減少する電圧信号を持つ位相エラー信号を発生する。同様に、周波数比較器(58)も第１分周器(54)からのクロック信号と補助クロック（ＰＣＬＫ）との周波数差により電圧が漸進的に減少する周波数エラー信号を発生する。すると、積分器(60)を経由して位相エラー信号と周波数エラー信号を入力する電圧制御発振器(52)は基準クロック（ＳＣＬＫ）の周波数を補助クロック（ＰＣＬＫ）のＭ倍から補助クロック（ＰＣＬＫ）のＮ倍まで漸進的に低くする。これにより、基準クロック（ＳＣＬＫ）の周波数は切換制御信号の下降エッジ（即ち、クロック安定化情報の記録が終了する信号トラック(20又は22)上の位置）から一定の期間の間（例えば、クロック安定化情報が記録された単位ブロックの終了位置までの区間に当たる期間）に補助クロック（ＰＣＬＫ）のＭ倍からＮ倍に漸進的に低くなる。この記録クロック（ＳＣＬＫ）は図８に示したＶＦＯ信号発生器(44)及び記録情報処理部(46)に供給される。又、周波��比較器(58)は分周された基準クロックが補助クロック（ＰＣＬＫ）に比べて一定の範囲の周波数差を有する場合、即ち基準クロック（ＳＣＬＫ）が補助クロック（ＰＣＬＫ）よりＮ倍ないしＭ倍の周波数を有する場合に特定論理（例えば、ハイ論理）を有するロッキング信号（ＬＫ）を発生する。このロッキング信号（ＬＫ）は図８に示した制御部(50)に供給される。
【００４２】
そして、適応型基準クロック発生器(76)は図８に示した制御部(50)から図１０〜図１２に示したような記録スタート信号（ＷＲｓｔａ）を入力する第１ラッチ(110）と、図８に示した補助信号デコーダ(36)からの補助同期信号（ＰＹｒｅ）を入力するＮＡＮＤゲート(112）と、図８に示した再生信号処理部(51)から再生同期信号（ＲＹｒｅ）を入力する第２ＡＮＤゲート(116）を更に備える。第１ラッチ(110）は自身のセット端子（Ｓ）に特定論理（即ち、ハイ論理）の記録スタート信号（ＷＲｓｔａ）が入力される場合に自身の出力端子（Ｑ）にハイ論理の出力信号を発生する。ＮＡＮＤゲート(112)は第１ラッチ(110)の出力信号と補助同期信号（ＰＹｒｅ）をＮＡＮＤ演算してその結果により第２ラッチ(114）を選択的にトグルさせる。ＮＡＮＤゲート(112)は第１ラッチ(110)の出力信号と補助同期信号（ＰＹｒｅ）がハイ論理を維持する場合にロー論理のパルスを発生させる。第２ラッチ(114)はＮＡＮＤゲート(112)からのロー論理のパルスの上昇エッジで自身の出力端子（Ｑ）上の信号をロー論理からハイ論理に変化させる。一方、第２ＡＮＤゲート(116)は第１ラッチ(110)の出力信号と再生同期信号（ＲＹｒｅ）をＡＮＤ演算して第１ラッチ(110）の出力信号がハイ論理を維持する場合、即ち記録開始の時、一番目のユーザー情報ブロックが光ディスク(24)の信号トラック(20又は22)上に記録される場合にだけ再生同期信号（ＲＹｒｅ）を通過させる。
【００４３】
又、適応型基準クロック発生器(76)は、電圧制御発振器(52)に直列接続した第２分周器(118）と、第３ＡＮＤゲート(120)と、第１カウンター(122)と、第１インバーター(124)とを備える。第２分周器(118)は電圧制御発振器(52)からの基準クロック（ＳＣＬＫ）を一定の分周比（Ｎ）に分周し、その分周された基準クロックを第３ＡＮＤゲート(120)に供給する。第３ＡＮＤゲート(120)は余白制御信号（Ｃｓｐｃ）が特定論理（即ち、ハイ論理）を維持する間に第２分周器(118）からの分周された基準クロックを第１カウンター(122）のクロック端子に伝送する。第１カウンター(122)は第２ラッチ(114)から自身のリセット端子（Ｒ）にハイ論理の論理信号が印加される間に、第３ＡＮＤゲート(120）から供給した分周された基準クロックにより加算カウントする。そして、第１カウンター(122）はカウント値が“Ｌ”に到達するときにハイ論理のキャリ信号を発生する。又、第１カウンター(122)はキャリ信号を発生した後、第２ラッチ(114)からの自身のリセット端子（Ｒ）の方に供給されるロー論理の論理信号によりカウント動作を中止する。他の方法としては、第１カウンター(122)は第２ＡＮＤゲート(116)からロー論理の再生同期信号（ＲＹｒｅ）が入力される場合、即ち一番目の再生同期信号（ＲＹｒｅ）の終了時点で、特定論理（例えば、ハイ論理）を発生することができる。これにより、第１カウンター(122）から発生されるキャリ信号はハイ論理のみを維持するか、補助同期信号（ＰＹｒｅ）の終了時点から一定の幅、即ちＮ×Ｌ個の基準クロックサイクルより小さいか又は同じ幅の基底論理（例えば、ロー論理）パルスを有するようになる。第１インバーター(124）は第１カウンター(122）からのキャリ信号を反転し、その反転された信号を余白制御信号（Ｃｓｐｃ）として第３ＡＮＤゲート(120）と、図８に示した第２制御用スイッチ（ＳＷ２）に供給する。この余白制御信号（Ｃｓｐｃ）は第１カウンター(122）の動作モード、即ち再生同期信号（ＲＹｒｅ）と補助同期信号（ＰＹｒｅ）との位相の先後関係により特定論理（即ち、ハイ論理）のパルスを選択的に有するようになる。余白制御信号（Ｃｓｐｃ）は、図１０及び図１１のように再生同期信号（ＲＹｒｅ）が終了した後に補助同期信号（ＰＹｒｅ）が終了される場合に基底論理（即ち、ロー論理）を維持する。この場合に光ディスク(24)の信号トラック(20又は22)には余白区間が生成されないようになる。一方、再生同期信号（ＲＹｒｅ）が図１２のように補助同期信号（ＰＹｒｅ）の終了時点より遅く終了した場合に、余白制御信号（Ｃｓｐｃ）は特定論理のパルスを有する。この時、余白制御信号（Ｃｓｐｃ）のパルスは、補助同期信号（ＰＹｒｅ）の終了時点から再生同期信号（ＲＹｒｅ）の終了時点までの期間に当たる幅を有する。このように余白制御信号（Ｃｓｐｃ）に特定論理パルスが存在する場合には、その特定論理パルスの幅に相当する余白区間（ＳＰＣ）が光ディスク(24)の信号トラック（２０又は２２）上に生成されるようになる。
【００４４】
更に、適応型基準クロック発生器(76)は第２ＡＮＤゲート(116）の出力端子に直列接続された第４ＡＮＤゲート(126)及び第３ラッチ(128)と、電圧制御発振器(52)に直列接続された第５ＡＮＤゲート(130)、第２カウンター(132)及び第２インバーター(134)を備える。第４ＡＮＤゲート(126)は第１インバーター(124)からの余白制御信号（Ｃｓｐｃ）と第２ＡＮＤゲート(116)の出力信号をＡＮＤ演算して、その結果により第３ラッチ(128)を選択的にトグルさせる。第４ＡＮＤゲート(126）は、余白制御信号（Ｃｓｐｃ）の下降エッジ、即ち余白制御信号（Ｃｓｐｃ）の終了時点又は第２ＡＮＤゲート(116)の出力信号の下降エッジ、即ち一番目の再生同期信号（ＲＹｒｅ）の終了時点で第３ラッチ(128)をトグルさせる。この時、第３ラッチ(128）の出力信号は、ロー論理からハイ論理に変化する。第５ＡＮＤゲート(130）は安定化情報制御信号（ＣＶＦＯ）が特定論理（即ち、ハイ論理）を維持する間にだけ電圧制御発振器(52)からの基準クロック（ＳＣＬＫ）を第２カウンター(132)のクロック端子（ＣＬＫ）に伝送する。第２カウンター(132）は、第３ラッチ(128)から自身のリセット端子（Ｒ）にハイ論理の論理信号が印加される間に、第５ＡＮＤゲート(130)から供給される基準クロック（ＳＣＬＫ）により加算カウントする。又、第２カウンター(132)は、カウント値が“Ｋ”に到達するときにハイ論理のキャリ信号を発生する。キャリ信号を発生した後、第２カウンター(132)は、第３ラッチ(128)から自身のリセット端子（Ｒ）に供給されるロー論理の論理信号によりカウント動作を中止する。第２インバーター(134）は第２カウンター(132）からのキャリ信号を反転し、その反転されたキャリ信号を安定化情報制御信号（ＣＶＦＯ）として第５ＡＮＤゲート(130)、第３ラッチ(128）と、図８に示した第１制御用スイッチ（ＳＷ１）及び擬似同期信号発生器(42)に供給する。この安定化情報制御信号（ＣＶＦＯ）は図１２のように余白制御信号（Ｃｓｐｃ）に特定論理パルスが含まれた場合には余白制御信号（Ｃｓｐｃ）の終了時点から一定の期間の間、特定論理（例えば、ハイ論理）を維持するようになる。反面に図１０及び図１１のように余白制御信号（Ｃｓｐｃ）に特定論理のパルスが含まれていない場合、安定化情報制御信号（ＣＶＦＯ）は一番目の再生同期信号（ＲＹｒｅ）の下降エッジ、即ち終了地点から一定の期間の間、ハイ論理を維持する。すると、第３ラッチ(128）は自身のリセット端子（Ｒ）に印加される基底論理（即ち、ロー論理）の安定化情報制御信号（ＣＶＦＯ）により初期化される。
【００４５】
前記適応型基準クロック発生器(76)は第１ＮＡＮＤゲート(112）の出力信号によりトグルされる第４ラッチ(138）と、安定化情報制御信号（ＣＶＦＯ）を共に入力するＯＲゲート(136)と第３インバーター(140)を備える。ＯＲゲート(136）は余白制御信号（Ｃｓｐｃ）と安定化情報制御信号（ＣＶＦＯ）をＯＲ演算し、その演算された結果により第２ラッチ(114）の出力信号を初期化させる。第４ラッチ(138）は第２ラッチ(114)と同じように第１ＮＡＮＤゲート(112)からのロー論理のパルスの上昇エッジ、即ち記録開始の時、一番目の補助同期信号（ＰＹｒｅ）の終了時点から自身の出力端子（Ｑ）上の信号をロー論理からハイ論理に変化させる。そして、第４ラッチ(138）は自身の出力信号を切換制御信号として第１ＡＮＤゲート(108)と第２ＮＡＮＤゲート(144)に供給する。第３インバーター(140）は、安定化情報制御信号（ＣＶＦＯ）を反転し、その反転された安定化情報制御信号を第５ラッチ(142)のトグル端子（Ｔ）に印加する。第５ラッチ(142)は、第３インバーター(140）から自身のトグル端子（Ｔ）に供給して反転された安定化情報制御信号の上昇エッジ、即ち安定化情報制御信号（ＣＶＦＯ）の終了時点から自身の出力端子（Ｑ）にハイ論理の論理信号を発生させる。この第５ラッチ(142）の出力信号は、第１ラッチ(110)及び第２ＮＡＮＤゲート(144)に供給される。第２ＮＡＮＤゲート(144)は、第１ラッチ(110)の出力信号、第４ラッチ(138)の出力信号及び第５ラッチ(142)の出力信号をＡＮＤ演算してロー論理のパルスを発生させる。この第２ＮＡＮＤゲート(144）からのロー論理のパルスにより第１、第４及び第５ラッチ(110,138,142）の出力信号は初期化される。これにより、第１ラッチ(110)の出力信号は記録スタート信号（ＷＲｓｔａ)の上昇エッジ、即ち記録開始時点から安定化情報制御信号（ＣＶＦＯ）の下降エッジまでに至る間、ハイ論理を維持する。又、第４ラッチ(138）から発生される切換制御信号は補助同期信号（ＰＹｒｅ）の下降エッジ、即ち終了時点から安定化情報制御信号（ＣＶＦＯ）の下降エッジ、即ち安定化情報制御信号（ＣＶＦＯ）の終了時点までの間、ハイ論理を維持する。一方、第５ラッチ(142）の出力信号は、第５ラッチ(142)が第２ＮＡＮＤゲート(144)と循環ループをなすのでハイ論理のパルス形態を有するようになる。第１ＡＮＤゲート(108）は、切換制御信号により電圧制御発振器(52)から第１分周器(54)に供給される基準クロック（ＳＣＬＫ）を切り換える。第１ＡＮＤゲート(108）は切換制御信号がハイ論理を維持する場合に電圧制御発振器(52)からの基準クロック（ＳＣＬＫ）が可変分周器(54)に供給されないようにする。切換制御信号がロー論理を維持する場合、第１ＡＮＤゲート(108）電圧制御発振器(52)からの基準クロック（ＳＣＬＫ）が可変分周器(54)に供給される。
【００４６】
図１７は図８に示した適応型基準クロック発生器(76)の第４実施形態を詳細に示す回路図である。図１７に示した適応型基準クロック発生器(76)は第１ＡＮＤゲート(108)がクロック調節器(146)で置き換えられた以外は、図１６に示した第３実施形態の適応型基準クロック発生器(76)と同じ回路構成である。このクロック調節器(146）は切換制御信号がイネーブルされる時点から一定の間（例えば、不連続記録位置（ＤＣＰ）から一つの単位ブロックが終了される地点までの区間に当たる間）基準クロック（ＳＣＬＫ）の周波数が補助クロック（ＰＣＬＫ）のＭ倍を一定して維持するようにする。このために、クロック調節器(146）は第４ラッチ(138）からの切換制御信号がロー論理からハイ論理に変化した後、一つの単位ブロックに当たる間、一定のサイクル毎に電圧制御発振器(52)から第１分周器(54)の方に伝送する基準クロック（ＳＣＬＫ）を一つずつ除去する。この場合、位相比較器(56)で発生する位相エラー信号と周波数比較器(58)で発生する周波数エラー信号が一定のサイクル毎に一度ずつ増加してから減少する。すると、位相エラー信号及び周波数エラー信号に応答する電圧制御発振器(52)は、基準クロック（ＳＣＬＫ）の位相及び周波数を調節することにより基準クロック（ＳＣＬＫ）の位相が補助クロック（ＰＣＬＫ）の位相と一致するようにすると共に基準クロック（ＳＣＬＫ）の周波数が補助クロック（ＰＣＬＫ）に比べてＭ倍を一定して維持するようにする。そして、クロック調節器(146）は図１５に示したクロック調節器(90)の回路素子中、安定化情報制御信号（ＣＶＦＯ）及び余白制御信号（Ｃｓｐｃ）を入力するＯＲゲート(92)を除去し、代わりに図１７での第４ラッチ(138）からの切換制御信号が供給されるようにすることにより実現することができる。
【００４７】
[発明の効果]
上述したように、本発明では信号トラックとは異なる別の領域に補助信号がプリフォーマットされた光ディスクの信号トラック上の不連続記録位置と隣接したブロック区間にクロック安定化情報がユーザー情報と共に記録される。これにより、信号トラック上の不連続記録位置と隣接したブロック区間に記録されたユーザー情報は、安定して再生されることは勿論、光ディスクの記録容量が大きくなる。
【００４８】
さらに、本発明では再生同期信号と補助信号に含まれた補助同期信号との位相の先後関係により光ディスクの信号トラック上の不連続記録位置とクロック安定化情報の間に余白区間が選択的に生成される。この結果、クロック安定化情報は再生同期信号に同期されるように不連続記録位置と隣接したブロック区間に記録される。
【００４９】
又、本発明は基準クロックが補助信号に含まれた補助クロックに同期された場合にのみ光ディスクに情報を記録することにより、光ディスクの記録容量を一定に維持するようにすると共にエラーの発生を最小化することができる。
【図面の簡単な説明】
【００５０】
【図１】ハードセクター方式の補助信号がプリフォーマットされた光ディスクを概略的に図示する図面である。
【図２】ソフトセクター方式の補助信号がプリフォーマットされた光ディスクを概略的に図示する図面である。
【図３】図２に示した光ディスクの信号トラックに情報が不連続的に記録された状態を示す。
【図４】図３に示した信号トラックに記録されたクロック信号とそのクロック信号の再生された状態を示す。
【図５】本発明の一実施形態による光ディスク記録装置のブロック図である。
【図６】図５に示した各部分に対する出力波形図である。
【図７】図５に示した基準クロック発生器を詳細回路図である。
【図８】本発明の他の実施形態による光ディスク記録装置のブロック図である。
【図９】図８に示した各部分の出力波形図である。
【図１０】図８に示した各部分の出力波形図である。
【図１１】図８に示した各部分の出力波形図である。
【図１２】図８に示した各部分の出力波形図である。
【図１３】図８に示した適応型基準クロック発生器の第１実施形態の詳細回路図である。
【図１４】図８に示した適応型基準クロック発生器の第２実施形態の詳細回路図である。
【図１５】図１４に図示した可変位相遅延器の詳細回路図である。
【図１６】図８に示した適応型基準クロック発生器の第３実施形態の詳細回路図である。
【図１７】図８に示した適応型基準クロック発生器の第４実施形態の詳細回路図である。
【符号の説明】
【００５１】
１０、２４・・・光ディスク、    １２・・・・・・信号トラック、  
１４・・・・・・セクター、      １６・・・・・・セクター識別信号部、
１８・・・・・・メイン情報信号部、２０・・・・・・山のトラック、
２２・・・・・・溝のトラック、  ２６・・・・・・スピンドルモーター、
２８・・・・・・光ピックアップ、３０・・・・・・サーボ部
３２・・・・・・モーター駆動部、３４・・・・・・搬送波信号検出器、
３６・・・・・・補助信号デコーダ、３８・・・・・・基準同期信号発生器、
４０・・・・・・基準クロック発生器、４２・・・・・・擬似同期信号発生器、
４４・・・・・・ＶＦＯ信号発生器、４６・・・・・・記録情報処理部、
４８・・・・・・光制御器、      ５０・・・・・・制御部、
５１・・・・・・再生信号処理部、５２・・・・・・電圧制御発振器、
５４・・・・・・第１分周器、    ５６・・・・・・位相比較器、
５８・・・・・・周波数比較器、  ６０・・・・・・積分器
６２、１０８・・・・・・第１ＡＮＤゲート、
６４、１１０・・・・・・第１ラッチ、
６６、１１２・・・・・・ＮＡＮＤゲート、
６８、１１４・・・・・・第２ラッチ、
７０、１１６・・・・・・第２ＡＮＤゲート、
７２、１２２・・・・・・第１カウンター、
７４、１２４・・・・・・第１インバーター、
７６・・・・・・適応型基準クロック発生器、
７８、１２８・・・・・・第３ラッチ、８０、１１８・・・・・・第２分周器、
８２、１２０・・・・・・第３ＡＮＤゲート、
８４、１３２・・・・・・第２カウンター、
８６、１３４・・・・・・第２インバーター、
８８、１２６・・・・・・第４ＡＮＤゲート、
９０、１４６・・・・・・クロック調節器、
９２・・・・・・ＯＲゲート、
９４、１３０・・・・・・第５ＡＮＤゲート、
９６・・・・・・第３分周器、      ９８・・・・・・ＸＯＲゲート、
１００・・・・・・第３カウンター、１０２・・・・・・第６ＡＮＤゲート、
１０４・・・・・・第４カウンター、１０６・・・・・・比較器、
１３８・・・・・・第４ラッチ、    １４０・・・・・・第３インバーター、
１４２・・・・・・第５ラッチ
【図１】
2006221801.tif 000003
【図２】
2006221801.tif 000004
【図３】
2006221801.tif 000005
【図４】
2006221801.tif 000006
【図５】
2006221801.tif 000007
【図６】
2006221801.tif 000008
【図７】
2006221801.tif 000009
【図８】
2006221801.tif 000010
【図９】
2006221801.tif 000011
【図１０】
2006221801.tif 000012
【図１１】
2006221801.tif 000013
【図１２】
2006221801.tif 000014
【図１３】
2006221801.tif 000015
【図１４】
2006221801.tif 000016
【図１５】
2006221801.tif 000017
【図１６】
2006221801.tif 000018
【図１７】
2006221801.tif 000019